(57)【特許請求の範囲】
【請求項１】
液透過性のトップシートと、液不透過性のバックシートと、トップシート及びバックシートの間に配置された吸収体と、を備え、個別包装に際して幅方向に延びる２本の折り線によって長手方向に折り畳まれる吸収性物品であって、
前部、股部及び後部を有し、
前記折り線は、前記前部及び前記股部の境界部、並びに前記股部及び前記後部の境界部に設けられ、
前記吸収体には、長手方向に５ｍｍ以上２０ｍｍ以下の幅を持つ前記折り線の近傍があり、その幅方向両端部に幅方向内側に湾曲した括れ部が形成されており、
前記各境界部に設けられた折り線近傍において、幅方向中心線の両側に、長手方向に沿って、前記トップシートから前記吸収体に亘る少なくとも２対の第２のチャネルエンボスが形成され、前記少なくとも２対の第２のチャネルエンボスは、幅方向中心線に向かって凸となっており、
前記股部において、幅方向中心線の両側に、長手方向に沿って、前記トップシートから前記吸収体に亘る少なくとも１対の第１のチャネルエンボスが形成され、前記少なくとも１対の第１のチャネルエンボスは、幅方向両端部に向かって凸となっている、吸収性物品。
【請求項２】
前記折り線近傍の前記吸収体の最小幅が、前記吸収体の最大幅の６０％以上８０％以下である、請求項１に記載の吸収性物品。
【請求項３】
前記括れ部の長手方向の寸法が、５ｍｍ以上２０ｍｍ以下である、請求項１又は２に記載の吸収性物品。
【請求項４】
前記１対の第１のチャネルエンボスが、前記括れ部が形成された前記前部及び前記後部と、前記股部との前記境界部にも及んでいる、請求項１から３のいずれかに記載の吸収性物品。
【請求項５】
前記前部及び前記後部に、幅方向に沿って、前記トップシートから前記吸収体に亘る第３のチャネルエンボスがそれぞれ形成されており、この第３のチャネルエンボスは、長手方向端部に向かって凸となっている、請求項１から４のいずれかに記載の吸収性物品。
【請求項６】
前記折り線近傍の前記吸収体の密度が、他の領域の前記吸収体の密度に比して高くなっている、請求項１から５のいずれかに記載の吸収性物品。
【発明の詳細な説明】
【技術分野】
【０００１】
本発明は、使用時に折り癖や折りじわが低減された吸収性物品に関する。
【背景技術】
【０００２】
一般に、軽失禁ライナー、軽失禁パッド、及び生理用ナプキン等の吸収性物品は、液透過性のトップシートと、液不透過性のバックシートと、トップシート及びバックシートの間に配置された吸収体と、で構成されており、これにより、尿や血液等の体液は、トップシートを通って吸収体に吸収される。これらの吸収性物品は、通常、これを１枚ごとに３つ折り等に折り畳んで個別包装し、複数枚をプラスチックフィルムにて一括包装されており、消費者が吸収性物品を使用する際には、個別包装から吸収性物品を取り出し、吸収性物品の衣類接触側表面に設けられたズレ止めテープを使用して、吸収性物品を下着に装着している。
【０００３】
吸収性物品の吸収体は、吸収性繊維及び高吸水性ポリマーを主体として構成されるものであり、適度な厚さとクッション性が求められている。そして、吸収性物品は、一般に吸収量ごとに様々な種類のものが販売されているが、吸収性物品の吸収量が多くなるほど、吸収体の厚みは厚くなり、包装時に３つ折りにした場合、３つ折りした部分の吸収体に折り癖がついたり、３つ折りした部分の近傍のトップシートに折りじわが発生したりしてしまう。このような折り癖は、吸収性物品の下着への適切な装着を損ない、身体へのフィット性を低下させることもある他、折りじわも幅方向に発生するため、体液の幅方向への横漏れの原因にもなる。加えて、これらの折り癖、折りじわは、装着時に着用者に不快感を感じさせ、かゆみ等の肌トラブルを引き起こす可能性がある他、外観上も好ましいものとは言えない。
【０００４】
折り癖や折りじわを低減することを目的とした吸収性物品に関係する発明としては、例えば、特許文献１には、トップシート、バックシート、及び吸収体を有する縦長の吸収性物品であって、吸収体が、幅方向に延びており、かつ吸収体の全幅に亘らない長さを有する折り曲げ補助手段が、吸収体の長手方向に位置をずらして複数本形成された折り曲げ領域を有しており、個別包装される際に、折り曲げ領域が存する部位において折り曲げられることを特徴とする吸収性物品が開示されている。また、特許文献２には、トップシートとバックシートとの間に吸収体が配置されるとともに、個別包装される際には、幅方向の折り線にて長手方向に折り畳まれる吸収性物品において、折り線の近傍に、吸収性物品の幅方向に亘る線状の形状保持部材を形成した吸収性物品が開示されている。
【先行技術文献】
【特許文献】
【０００５】
【特許文献１】特開２００９−１５３７３５号公報
【特許文献２】特開２０１３−１７６４１２号公報
【発明の概要】
【発明が解決しようとする課題】
【０００６】
しかしながら、特許文献１の吸収性物品においては、折り曲げ補助手段の近傍で吸収性物品を折り曲げることにより、吸収性物品に強い折り癖がつくことを防止することができるとされているが、トップシート等に発生する折りじわの問題に対しては、何らの配慮もなされていない他、折り癖や折りじわが十分に解消していない場合には、体液が横漏れするおそれもあった。また、特許文献２の吸収性物品は、これを展開した際に形状保持部材を湾曲させて吸収性物品の形状を保持することにより、折り癖や折りじわの問題に対処しようとするものであるが、このような手段を採用しても、トップシートや吸収体の折り癖の形成が抑制されるわけではなく、形成された折り癖も完全には解消されない。したがって、本発明は、以上の課題に鑑みてなされたものであり、個別包装に際して長手方向に折り畳まれる吸収性物品において、使用時に折り癖や折りじわがより低減されており、体液の横漏れも効果的に防止可能な吸収性物品を提供することを目的とする。
【課題を解決するための手段】
【０００７】
本発明の発明者らは、上記課題に鑑み、鋭意研究を行った。その結果、トップシートと、バックシートと、吸収体と、を備え、個別包装に際して幅方向に延びる２本の折り線によって長手方向に折り畳まれる吸収性物品において、吸収体の折り線の近傍の幅方向両端部に括れ部を形成し、折り線近傍と、股部とにおいて、所定のチャネルエンボスを形成することにより、上記課題を解決できることを見出し、本発明を完成するに至った。具体的には、本発明は以下のものを提供する。
【０００８】
（１）  本発明の第１の態様は、液透過性のトップシートと、液不透過性のバックシートと、トップシート及びバックシートの間に配置された吸収体と、を備え、個別包装に際して幅方向に延びる２本の折り線によって長手方向に折り畳まれる吸収性物品であって、前部、股部及び後部を有し、前記折り線は、前記前部及び前記股部の境界部、並びに前記股部及び前記後部の境界部に設けられ、前記吸収体には、長手方向に５ｍｍ以上２０ｍｍ以下の幅を持つ前記折り線の近傍があり、その幅方向両端部に幅方向内側に湾曲した括れ部が形成されており、前記各境界部に設けられた折り線近傍において、幅方向中心線の両側に、長手方向に沿って、前記トップシートから前記吸収体に亘る少なくとも２対の第２のチャネルエンボスが形成され、前記少なくとも２対の第２のチャネルエンボスは、幅方向中心線に向かって凸となっており、前記股部において、幅方向中心線の両側に、長手方向に沿って、前記トップシートから前記吸収体に亘る少なくとも１対の第１のチャネルエンボスが形成され、前記少なくとも１対の第１のチャネルエンボスは、幅方向両端部に向かって凸となっている、吸収性物品である。
【０００９】
（２）  本発明の第２の態様は、（１）に記載の吸収性物品であって、前記折り線近傍の前記吸収体の最小幅が、前記吸収体の最大幅の６０％以上８０％以下であることを特徴とするものである。
【００１０】
（３）  本発明の第３の態様は、（１）又は（２）に記載の吸収性物品であって、前記括れ部の長手方向の寸法が、５ｍｍ以上２０ｍｍ以下であることを特徴とするものである。
【００１１】
（４）  本発明の第４の態様は、（１）から（３）のいずれかに記載の吸収性物品であって、前記１対の第１のチャネルエンボスが、前記括れ部が形成された前記前部及び前記後部と、前記股部との前記境界部にも及んでいることを特徴とするものである。
【００１２】
（５）  本発明の第５の態様は、（１）から（４）のいずれかに記載の吸収性物品であって、前記前部及び前記後部に、幅方向に沿って、前記トップシートから前記吸収体に亘る第３のチャネルエンボスがそれぞれ形成されており、この第３のチャネルエンボスは、長手方向端部に向かって凸となっていることを特徴とするものである。
【００１３】
（６）  本発明の第６の態様は、（１）から（５）のいずれかに記載の吸収性物品であって、前記折り線近傍の前記吸収体の密度が、他の領域の前記吸収体の密度に比して高くなっていることを特徴とするものである。
【発明の効果】
【００１４】
本発明の吸収性物品においては、２本の折り線の近傍の吸収体に、括れ部を設けたので、折り線近傍の吸収体の嵩が低減し、折り線を谷として吸収性物品を折り畳む際に、吸収性物品に折りじわや折り癖が残りにくいものとなる。さらに、本発明の吸収性物品においては、折り線近傍に、長手方向に沿って少なくとも２対のチャネルエンボスが形成され、この少なくとも２対のチャネルエンボスが、幅方向中心線に向かって凸になっているとともに、股部には、長手方向に沿って１対のチャネルエンボスが形成され、この１対のチャネルエンボスは、幅方向両端部に向かって凸になっている。このため、折り線近傍に到達する体液が、幅方向中心線に向かって拡散しやすくなり、括れ部が形成された部位であり、幅方向の寸法が狭く形成されている、前部及び後部と、股部との境界部において、体液が横漏れすることを効果的に防止することができる。
【図面の簡単な説明】
【００１５】
【図１】本発明の吸収性物品の展開図を示す図面である。
【図２】図１におけるＸ１−Ｘ１線による断面図を示す図面である。
【発明を実施するための形態】
【００１６】
以下、図１及び図２を参照して、本発明の実施形態に係る吸収性物品１について詳細に説明する。なお、本実施形態の説明においては、全体を通して同じ要素には同じ符号を付している。本明細書における以下の説明において、体液とは、尿、血液、軟便中の水分等の体内から体外に排出される液体をいう。さらに、吸収性物品１の着用時とは、吸収性物品１の装着時及び装着後の少なくとも一方を示す。なお、本明細書の説明において、吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、本明細書において、吸収性物品１の身体接触側表面とは、吸収性物品１の着用時に着用者の肌に当接する表面を指し、衣類接触側表面とは、吸収性物品１の着用時に着用者の衣類に当接する表面を指す。本明細書においては、吸収性物品１の身体接触側表面側を上側と称し、衣類接触側表面側を下側と称することがある。
【００１７】
＜吸収性物品＞
図１は、本発明の吸収性物品１の展開図を示す図面であり、図２は、図１におけるＸ１−Ｘ１線による断面図を示す図面である。本発明の実施形態に係る吸収性物品１としては、図１に示すような軽失禁パッドが例示されるが、本発明はこれに限定されるものではなく、軽失禁ライナー、生理用ナプキン、その他の吸収性物品であってもよい。図１及び図２に示すように、吸収性物品１は、身体接触側表面に配置された液透過性のトップシート１０と、トップシート１０に対向し、衣類接触側表面に配置された液不透過性のバックシート３０と、トップシート１０及びバックシート３０の間に配置された吸収体２０と、を備え、これにより、吸収体２０は、トップシート１０とバックシート３０との間に挟まれた構造となっている。吸収性物品１は、個別包装に際して幅方向に延びる２本の折り線４０によって長手方向に折り畳まれるものであり、包装時には長手方向に３つ折りにされる。吸収性物品１は、着用者の前側に位置する前部１ａと、着用者の股間に位置する股部１ｂと、着用者の後側に位置する後部１ｃとを有し、折り線４０は、前部１ａと股部１ｂとの境界部１ｄ、及び股部１ｂと後部１ｃとの境界部１ｄに形成されている。
【００１８】
［トップシート］
トップシート１０は、吸収体２０に向けて体液を速やかに通過させるものであり、吸収体２０を挟んで、バックシート３０と対向して配置されている。トップシート１０は、肌と当接するシートとなることから、柔らかな感触で、肌に刺激を与えないような基材、例えば、エアスルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。トップシート１０は、単層であっても、複数層積層していてもよく、ドライタッチ性を付与するために多数の透孔が形成されていてもよい。
【００１９】
不織布としては、ポリエチレン等の合成繊維やレーヨン等の再生繊維、綿等の天然繊維を用いて、サーマルボンド法の他、スパンレース法やスパンボンド法等の公知の加工法によって得られたものも用いることができる。加工性及び強度の点から、トップシート１０の坪量は、１８ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を適用してもよい。トップシート１０は、着用者の股部が位置づけられる長手方向中央に括れ部を有する砂時計形状、略矩形形状等の形状を有していてもよく、吸収体２０の側縁よりも若干外方に延在して設けられていてもよい。
【００２０】
なお、本発明においては、吸収体２０の上面への体液の拡散を促進するため、トップシート１０と吸収体２０との間に、液拡散性シート１１を設けてもよい。斯かる液拡散性シート１１としては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シート１１の厚さは０．１ｍｍ以上であることが好ましく、その坪量は１５ｇ／ｍ２以上であることが好ましい。液拡散性シート１１の形状は、特に制限はないが、尿等の液体がくまなく吸収体２０に拡散するよう、吸収体２０の表面を完全に覆うことができる形状であることが好ましい。
【００２１】
［バックシート］
バックシート３０は、吸収性物品１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０は、着用者の股部が位置づけられる長手方向中央に括れ部を有する砂時計形状、略矩形形状等の形状を有していてもよく、吸収体２０の側縁より若干外方に延在して設けられていてもよい。バックシート３０の衣類接触側表面には、着用時に下着等に吸収性物品１を固着するための粘着剤層６０が設けられていてもよい。吸収性物品１が粘着剤層６０を有する場合、粘着剤層６０を保護するための剥離シート６５を有していてもよく、この剥離シート６５は、吸収性物品１の包装シートと部分的に接合されていてもよい。トップシート１０及びバックシート３０は、長手方向端部等、端部の少なくとも一部において、吸収体２０を挟まずに、ホットメルト接着剤やヒートシール等により固着されるフラップを形成していてもよい。
【００２２】
［吸収体］
吸収体２０は、基材としての吸収性繊維と、高吸水性ポリマー（Ｓｕｐｅｒ  Ａｂｓｏｒｂｅｎｔ  Ｐｏｌｙｍｅｒ；以下、ＳＡＰとも称する）と、を含有する。吸収性繊維は、一般に生理用ナプキン、おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２０の吸収性繊維は、吸収性能及び肌触りを損なわないよう、１００ｇ／ｍ２以上８００ｇ／ｍ２以下の坪量とすることが好ましい。
【００２３】
吸収体２０の高吸水性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２０のＳＡＰ量は、吸収性能及び肌触りを損なわないよう、５０ｇ／ｍ２以上５００ｇ／ｍ２以下の坪量とすることが好ましく、１５質量％以上６０質量％以下の含有量とすることが好ましい。
【００２４】
吸収体２０において、吸収性繊維及びＳＡＰの形態は、吸収性繊維中にＳＡＰ粒子を混合して形成した積層マットの形態であることが好ましい。また、ＳＡＰ粒子の漏洩防止や吸収体２０の形状の安定化の目的から、吸収体２０をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよく、キャリアシートで吸収体２０を包む際の包み方は特に限定されるものではない。
【００２５】
吸収体２０は、上層吸収体と下層吸収体とを積層してなるものであってもよい。この場合、上層吸収体と下層吸収体の長手方向及び幅方向の寸法は、上層吸収体の寸法が下層吸収体の寸法より大きくてもよく、上層吸収体の寸法が下層吸収体の寸法と同じであってもよく、上層吸収体の寸法が下層吸収体の寸法より小さくてもよい。
【００２６】
（括れ部）
吸収体２０は、前部１ａ及び股部１ｂの境界部１ｄ、並びに股部１ｂ及び後部１ｃの境界部１ｄに設けられる折り線４０の近傍において、吸収体２０の幅方向両端部が幅方向内側に湾曲した括れ部２１を有している。吸収体２０が括れ部２１を有することにより、折り線４０近傍の吸収体２０の嵩が低減し、折り線４０を谷として吸収性物品１を折り畳んだ際に、折りじわや折り癖を生じにくくすることができる。ここで、折り線４０近傍の括れ部２１においては、吸収体２０の最小幅Ｂが、吸収体２０の最大幅Ａの６０％以上８０％以下であることが好ましく、６０％以上７０％以下であることがより好ましい。吸収体２０の最小幅Ｂが、上記の範囲内のものであることにより、吸収性物品１における体液の横漏れを防止しつつ、折り線４０近傍の吸収体２０の嵩を効果的に低減させることができる。
【００２７】
括れ部２１の長手方向の寸法Ｃは、５ｍｍ以上２０ｍｍ以下であることが好ましく、１０ｍｍ以上１５ｍｍ以下であることがより好ましい。括れ部２１の長手方向の寸法Ｃを上記の範囲内のものとすることにより、吸収性物品１における体液の横漏れを防止しつつ、折りじわや折り癖の形成を効果的に防止することができる。なお、折り線４０近傍の括れ部２１における吸収体２０の密度は、他の領域の吸収体２０の密度に比して高くなっていることが好ましい。そのような構成とすることにより、括れ部２１においても体液の十分な吸収能を確保することができ、体液の横漏れを効果的に防止することができる。
【００２８】
［チャネルエンボス］
本発明の吸収性物品１においては、前部１ａ、股部１ｂ、及び後部１ｃと、括れ部２１とにそれぞれ、トップシート１０から吸収体２０に亘るチャネルエンボスが形成されている。ここで、股部１ｂに形成されているチャネルエンボスを第１のチャネルエンボス２２と称し、括れ部２１に形成されているチャネルエンボスを第２のチャネルエンボス２３と称し、前部１ａ及び後部１ｃに形成されているチャネルエンボスを第３のチャネルエンボス２４と称することとし、以下に各チャネルエンボスの構成を説明する。
【００２９】
（第１のチャネルエンボス）
吸収性物品１の股部１ｂには、幅方向中心線の両側に、長手方向に沿って、トップシート１０から吸収体２０に亘る、少なくとも１対の第１のチャネルエンボス２２が形成されており、この第１のチャネルエンボス２２は、幅方向両端部に向かって凸となっている。第１のチャネルエンボス２２がこのような構成を採用することにより、股部１ｂの体液排出部に排出された体液は、第１のチャネルエンボス２２に沿って幅方向中心線方向に向かいながら前後方向に拡散することとなり、幅方向の寸法が狭く形成されている括れ部２１が形成された、前部１ａ及び後部１ｃと、股部１ｃとの境界部１ｄにおいて体液が横漏れすることを効果的に防止することができる。第１のチャネルエンボス２２は、２対以上設けられていてもよい。
【００３０】
ここで、第１のチャネルエンボス２２は、少なくともその端部が、括れ部２１が形成された、前部１ａ及び後部１ｃと、股部１ｃとの境界部１ｄにも及んでいることが好ましい。第１のチャネルエンボス２２が境界部１ｄにも及んでいることにより、上記境界部１ｄに形成された第２のチャネルエンボス２３とも相俟って、体液が幅方向中心線から幅方向両端部に向かって拡散することを抑制することができ、体液の横漏れを効果的に防止することができる。
【００３１】
（第２のチャネルエンボス）
吸収性物品１の括れ部２１が形成された、前部１ａ及び後部１ｃと、股部１ｃとの境界部１ｄには、幅方向中心線の両側に、長手方向に沿って、トップシート１０から吸収体２０に亘る少なくとも２対の第２のチャネルエンボス２３が形成されており、この第２のチャネルエンボス２３は、幅方向中心線に向かって凸となっている。境界部１ｄに幅方向中心線に向かって凸の第２のチャネルエンボス２３が形成されていることにより、括れ部２１に到達する体液が、上記境界部１ｄの幅方向中心線に向かって拡散しやすくなり、更に、前部１ａ及び後部１ｃにおいては、幅方向両端部にも拡散するので、吸収体２０の幅方向の寸法が狭く形成されている括れ部２１において、体液が横漏れすることを効果的に防止することができるとともに、吸収体２０の全体で効率的に体液を吸収することができる。
【００３２】
上記境界部１ｄにおける第２のチャネルエンボス２３は、幅方向中心線の両側に、２対以上設けられており、３対以上設けられていることがより好ましい。第２のチャネルエンボス２３の設置数を上記の範囲内のものとすることにより、境界部１ｄに到達する体液を、境界部１ｄの幅方向中心線、並びに前部１ａ及び後部１ｃの幅方向両端部に向けて効果的に拡散させることができる。
【００３３】
（第３のチャネルエンボス）
本発明の吸収性物品１においては、前部１ａ及び後部１ｃに、幅方向に沿って、トップシート１０から吸収体２０に亘る第３のチャネルエンボス２４が形成されていることが好ましく、この第３のチャネルエンボス２４は、長手方向端部に向かって凸となっていることが好ましい。吸収性物品１の前部１ａ及び後部１ｃに、第３のチャネルエンボス２４を設けることにより、前部１ａ及び後部１ｃの吸収体２０の表面に、体液をより広く拡散させることができる。
【００３４】
（チャネルエンボスの深さ）
チャネルエンボスの深さは、本発明の目的を損なわない範囲で、適宜設定することができるが、例えば、１．０ｍｍ以上５．０ｍｍ以下であることが好ましく、１．５ｍｍ以上３．５ｍｍ以下であることがより好ましい。チャネルエンボスの深さが上記の範囲内であることにより、体液の効率的な拡散が促されるとともに、体液の吸収も阻害されない。
【００３５】
［立体ギャザー］
図２に示すように、吸収性物品１の身体接触側表面には、立体ギャザー５０が設けられていてもよい。この立体ギャザー５０は、トップシート１０とともに体液の閉じ込め空間を形成し、体液の横漏れを防止できるようになっている。立体ギャザー５０は、立体ギャザーシート５１と、立体ギャザーシート５１の自由端部に沿って配された伸縮性弾性部材５２と、を備えていることが好ましい。伸縮性弾性部材５２としては、天然ゴム、合成ゴム、及びポリウレタン等からなる、糸状、紐状、平型形状のものを適宜使用することができる。
【００３６】
＜吸収性物品の製造方法＞
吸収性物品１の製造方法としては、特に限定はなく、従来公知の方法を採用することができ、例えば、必要に応じて、液拡散性シート１１及び立体ギャザー５０をあらかじめトップシート１０に配置した上で、括れ部２１を形成した吸収体２０をトップシート１０とバックシート３０との間に挟持し、トップシート１０から吸収体２０に亘るチャネルエンボスを形成させつつ、トップシート１０とバックシート３０とを一部又は全周に亘ってホットメルト接着剤やヒートエンボス、超音波エンボス、高周波エンボス等を用いて固定することで製造することができる。そして、これを包装体に個別包装した後、長手方向に３つ折り等にして折り畳めばよい。
【００３７】
以上、本発明を実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３８】
１      吸収性物品
１ａ    前部
１ｂ    股部
１ｃ    後部
１ｄ    境界部
１０    トップシート
１１    液拡散性シート
２０    吸収体
２１    括れ部
２２    第１のチャネルエンボス
２３    第２のチャネルエンボス
２４    第３のチャネルエンボス
３０    バックシート
４０    折り線
５０    立体ギャザー
５１    立体ギャザーシート
５２    伸縮性弾性部材
６０    粘着剤層
６５    剥離シート
Ａ      吸収体の最大幅
Ｂ      括れ部における吸収体の最小幅
Ｃ      括れ部の長手方向の寸法
【図１】
0006701548.tif 000002
【図２】
0006701548.tif 000003